(57)【要約】      （修正有）【課題】システム管理者が定める任意の条件に沿った在庫調整を自動化する在庫調整システムを提供する。【解決手段】コントロールサーバ１０は、システムユーザが任意に設定した自動在庫調整条件を記憶する自動在庫調整条件データベースと、自動在庫調整データベースに自動在庫調整条件を入力する自動在庫調整条件入力手段と、自動在庫調整条件データベースに記憶されている自動在庫調整条件に応じてサイトサーバ２１〜２３による在庫対象の販売を制御する自動在庫調整手段とを備える。自動在庫調整条件データベースは、在庫対象の在庫数を調整設定するタイミングを定めるトリガー条件と、在庫数を調整する処理内容ならびに在庫対象の販売の有無を定める調整条件とを含む自動在庫調整条件を記憶する。自動在庫調整手段は、トリガー条件が示すタイミングで調整条件に応じて在庫数を調整変更し、サイトサーバ２１〜２３から配信される内容を制御する。【選択図】図２
2017174153.tif 000002
【特許請求の範囲】
【請求項１】
在庫対象を各々インターネットを介して販売する複数のサイトサーバと接続し、前記各サイトサーバに表示させる前記在庫対象の在庫数を制御するコントロールサーバを備える在庫調整システムであって、
前記コントロールサーバは、
システムユーザが任意に設定した自動在庫調整条件を記憶する自動在庫調整条件データベースと、
前記自動在庫調整データベースに前記自動在庫調整条件を入力する自動在庫調整条件入力手段と、
前記自動在庫調整条件データベースに記憶されている前記自動在庫調整条件に応じて前記サイトサーバによる前記在庫対象の販売を制御する自動在庫調整手段と、
を備え、
前記自動在庫調整条件データベースは、
前記サイトサーバが前記インターネット上に配信する前記在庫対象の在庫数を調整設定するタイミングを定めるトリガー条件と、
前記トリガー条件が示すタイミングになったとき、前記サイトサーバが配信する在庫数を調整する処理内容、ならびに前記在庫対象の販売の有無を定める調整条件と、
を含む前記自動在庫調整条件を記憶し、
前記自動在庫調整手段は、
前記トリガー条件が示すタイミングで前記調整条件に応じて前記在庫数を調整変更し、または前記サイトサーバによる前記在庫対象の販売の有無を定めて前記サイトサーバから配信される内容を制御する、
ことを特徴とする在庫調整システム。
【請求項２】
前記自動在庫調整手段は、
前記トリガー条件が示す時間間隔で、前記調整条件が示す任意のサイトサーバから配信する在庫数について、前記調整条件として設定されている在庫調整処理を行う、
ことを特徴とする請求項１に記載の在庫調整システム。
【請求項３】
前記自動在庫調整手段は、
任意の在庫対象について、前記トリガー条件が示す時分割で、前記調整条件が示す任意の複数のサイトサーバから交互に在庫数を配信させる、
ことを特徴とする請求項１に記載の在庫調整システム。
【請求項４】
前記自動在庫調整手段は、
前記トリガー条件が示す時間帯で、前記調整条件が示す任意のサイトサーバから配信するサイトにおける前記在庫対象の販売を停止あるいは実施させる、
ことを特徴とする請求項１に記載の在庫調整システム。
【発明の詳細な説明】
【技術分野】
【０００１】
本発明は、複数のサイトに表示する販売物件等の在庫数を一元管理し、いずれかのサイトで予約販売などに関連する在庫処理が行われたとき、他のサイトに表示されている在庫数を調整する在庫調整システムに関するものである。
【背景技術】
【０００２】
インターネットを利用して例えば宿泊先の予約販売を行うとき、複数の予約サイト装置から各々予約サイトを配信し、各予約サイトに行われた宿泊予約を受け付け、客室の残存数を管理する統括管理装置を備えた予約システムがある（例えば、特許文献１参照）。
この予約システムは、インターネット上に複数の予約サイトを配信し、いずれか一の予約サイトを用いて利用者から宿泊が申込まれたとき、統括管理装置が上記の申込みを受けて客室残存数などに関連するデータを変更する。また、統括管理装置は、変更後のデータをホテルに備えられた端末装置において閲覧できるようにし、当該データ変更に伴って各予約サイトに表示する客室残存数などを更新させている。
【０００３】
また、インターネットを利用して複数の予約サイトから予約受付けを行い、バスの座席予約を管理する予約システムがある（例えば、特許文献２参照）。
この予約システムは、バスの座席在庫を在庫管理装置のデータベースに記録しておき、各ＷＥＢサーバから各々予約サイトを配信させる。いずれかの予約サイトに利用者のアクセスがあり、予約の手続き操作がなされたとき、在庫管理装置は、上記データベースに記録されている在庫数を削減し、新たな在庫数を記録する。また、いずれかの予約サイトにアクセスがあり、既に記録されている予約がキャンセルされたときには、上記データベースに記録されている在庫数を増加させ、またデータベースの記録内容を更新する。
【先行技術文献】
【特許文献】
【０００４】
【特許文献１】特開２００７−２５７００９号公報
【特許文献２】特開２０１３−１０５４６９号公報
【発明の概要】
【発明が解決しようとする課題】
【０００５】
従来の予約システムは上記のように構成されているので、システムに記録されている在庫数と実際の在庫数とを絶対的に対応させて管理している。また、利用者（予約者等）によっていずれかのサイトに予約操作がなされたとき、変動した在庫数が他のサイトに反映されるまでにタイムラグが発生する場合がある。そのため、概ね同時に複数のサイトへ同様な内容の操作がなされたときにはオーバーブックを発生させてしまうことがある。
そこで、適当なタイミングでマニュアル操作により、予約サイトに提示させる在庫数を実際の在庫数よりも少なくして上記のオーバーブック発生に対処するようにしており、システム担当者、もしくはオペレータ等の負担が重くなってしまうという問題点があった。
【０００６】
本発明は上記のような課題を解決するためになされたもので、システム管理者が定める任意の条件に沿った在庫調整を自動化する在庫調整システムを提供することを目的とする。
【課題を解決するための手段】
【０００７】
本発明に係る在庫調整システムは、在庫対象を各々インターネットを介して販売する複数のサイトサーバと接続し、前記各サイトサーバに表示させる前記在庫対象の在庫数を制御するコントロールサーバを備える在庫調整システムであって、前記コントロールサーバは、システムユーザが任意に設定した自動在庫調整条件を記憶する自動在庫調整条件データベースと、前記自動在庫調整データベースに前記自動在庫調整条件を入力する自動在庫調整条件入力手段と、前記自動在庫調整条件データベースに記憶されている前記自動在庫調整条件に応じて前記サイトサーバによる前記在庫対象の販売を制御する自動在庫調整手段とを備え、前記自動在庫調整条件データベースは、前記サイトサーバが前記インターネット上に配信する前記在庫対象の在庫数を調整設定するタイミングを定めるトリガー条件と、前記トリガー条件が示すタイミングになったとき、前記サイトサーバが配信する在庫数を調整する処理内容、ならびに前記在庫対象の販売の有無を定める調整条件とを含む前記自動在庫調整条件を記憶し、前記自動在庫調整手段は、前記トリガー条件が示すタイミングで前記調整条件に応じて前記在庫数を調整変更し、または前記サイトサーバによる前記在庫対象の販売の有無を定めて前記サイトサーバから配信される内容を制御することを特徴とする。
【０００８】
また、前記自動在庫調整手段は、前記トリガー条件が示す時間間隔で、前記調整条件が示す任意のサイトサーバから配信する在庫数について、前記調整条件として設定されている在庫調整処理を行うことを特徴とする。
【０００９】
また、前記自動在庫調整手段は、任意の在庫対象について、前記トリガー条件が示す時分割で、前記調整条件が示す任意の複数のサイトサーバから交互に在庫数を配信させることを特徴とする。
【００１０】
また、前記自動在庫調整手段は、前記トリガー条件が示す時間帯で、前記調整条件が示す任意のサイトサーバから配信するサイトにおける前記在庫対象の販売を停止あるいは実施させることを特徴とする。
【発明の効果】
【００１１】
本発明によれば、システムを管理するユーザの多様な要求に応じて、オーバーブックの回避ならびに随時発生するシステム作業の省力化を図ることができる。
【図面の簡単な説明】
【００１２】
【図１】本発明の実施例による在庫調整システムの構成を示す説明図である。
【図２】図１のコントロールサーバの概略構成を示す説明図である。
【図３】自動在庫調整条件データベースに記憶させる第１調整条件例を示す説明図である。
【図４】自動在庫調整条件データベースに記憶させる第２調整条件例を示す説明図である。
【図５】自動在庫調整条件データベースに記憶させる第３調整条件例を示す説明図である。
【発明を実施するための形態】
【００１３】
以下、この発明の実施の一形態を説明する。
（実施例）
図１は、本発明の実施例による在庫調整システムの構成を示す説明図である。図示したシステムは、例えば、ホテルなどの宿泊施設の予約をインターネットを介して行うもので、宿泊施設の営業者等が所有するコントロールサーバ１０、インターネット上に予約サイト等を開設する各業者が所有するサイトＡサーバ２１、サイトＢサーバ２２〜サイトＮサーバ２３を有している。
サイトＡサーバ２１、サイトＢサーバ２２〜サイトＮサーバ２３は、いずれも自身の通信手段（図示省略）を用いてインターネット回線３０と通信接続が可能に構成されている。なお、コントロールサーバ１０と通信可能に接続されるサイトサーバ数は、上記の３台に限定されるものではない。また、インターネット回線３０には、予約者端末４０等が上記各サイトサーバと通信可能に接続されている。
上記のサイトＡサーバ２１は、インターネット３０にサイトＡを配信するもので、サイトＢサーバ２２はサイトＢを配信し、また、サイトＮサーバ２３はサイトＮを配信するものであり、各サイトは前述の予約者端末４０がアクセス可能に構成されている。
【００１４】
図２は、図１のコントロールサーバ１０の概略構成を示す説明図である。コントロールサーバ１０は、例えば、図示を省略した制御プロセッサ、記憶ユニット、通信ユニットなどによってハードウエアが構成された情報処理装置である。
具体的には、コントロールサーバ１０は、オペレータ等によって入力操作がなされる自動在庫調整条件入力手段１１、上記の記憶ユニットに含まれている自動在庫調整条件データベース１２、自動在庫調整条件データベース１２などから取得したデータを用いて在庫調整を行う在庫調整手段１３を備えている。また、在庫調整手段１３の処理結果、即ち各サイトに表示させる在庫数等を、サイトＡサーバ２１、サイトＢサーバ２２、サイトＮサーバ２３等との通信によって指示する通信手段１４等を備えている。なお、通信手段１４は、例えば、インターネット３０などの公衆通信回線を介して上記のサイトＡサーバ２１〜サイトＮサーバ２３と通信可能に接続するように構成されたものでもよく、専用の通信線を介して接続するものでもよい。
【００１５】
在庫調整手段１３は、自動在庫調整条件データベース１２に記憶されている各データに基づいて在庫数の調整変更を行い、各サイトに表示させる在庫数を設定する自動在庫調整手段１３ａと、予約者等により何れかのサイトにおいて予約操作が行われたとき、この予約内容に応じて各サイトに表示させる在庫数を変更設定する在庫標準調整手段１３ｂを含めて構成されている。
【００１６】
次に動作について説明する。
初めに、自動在庫調整条件データベース１２に入力設定する自動在庫調整条件を説明する。
データベース化する自動在庫調整条件として、在庫物件（在庫対象）の部屋にトリガー条件および調整条件を関連付けて自動在庫調整条件データベース１２に記憶させておく。具体的には、システム管理の担当者もしくはオペレータ等（システムユーザ）が自動在庫調整条件入力手段１１を操作して、例えば、在庫対象となる宿泊室の洋室と和室の種別や間取り広さ等を示す、即ち部屋タイプを示す項目「在庫」に関連付けて、「トリガー条件」と「調整条件」の各項目に関する設定を行い、例えば、これら各項目のデータからなるテーブルを自動在庫調整条件データベース１２に構築する。
【００１７】
上記の「トリガー条件」は、例えば、「タイマー」、「間隔」、「在庫日」「在庫数」の各項目を有し、「タイマー」は、自動在庫調整を行う日付けならびに時刻であり、また、「間隔」は、次回の自動在庫調整を行うまでの時間間隔である。
この「間隔」として記憶格納されるデータは、自動在庫調整条件入力手段１１から設定される任意の時間間隔であり、「タイマー」として記憶格納されるデータは、例えば、システム起動時の日付時刻、または自動在庫調整条件入力手段１１から入力された任意の日付時刻を初期値として記憶格納され、さらに、上記の「間隔」を加算した日付時刻で逐次更新されていく任意設定のデータである。
【００１８】
上記の「在庫日」は、自動在庫調整条件入力手段１１から設定される任意の日数であり、在庫数を自動調整する対象の日付を示し、自動在庫調整を実施する日の数日後、数週間後、数か月後等の月日を表すデータである。
また、「在庫数」は、自動在庫調整条件入力手段１１から設定される任意の在庫数（予約可能な同一タイプの部屋数）であり、例えば、この在庫数以上となったとき、あるいはこの在庫数以下となったとき、などの条件を示すデータである。
「トリガー条件」において、「在庫日」と「在庫数」の項目は、何れか一方、または両方を設定することが可能なものである。
【００１９】
また、上記の「調整条件」は、例えば、「調整パターン」、「調整対象サイト」、「調整在庫数」の各項目を有する。
上記の「調整パターン」は、自動在庫調整条件入力手段１１から設定される処理内容を示す項目であり、例えば、販売を停止する、販売を再開する、毎日所定時間帯のみで販売を行う、複数のサイト間で販売対象を入れ替える、販売数を所定数に限定する、などの設定を示すデータが記憶格納されている。
【００２０】
上記の「調整対象サイト」は、自動在庫調整条件入力手段１１から設定された在庫数の自動調整を行うサイトを記憶格納する項目であり、全サイト、所定のサイト、などを指定するデータが記憶されている。
上記の「調整在庫数」は、「調整パターン」の項目に、販売する在庫数を限定することが設定されたとき、自動在庫調整条件入力手段１１から設定された販売数量を記憶格納する項目である。
【００２１】
次に自動在庫調整条件データベース１２に記憶させる設定例を説明する。
図３は、自動在庫調整条件データベース１２に記憶させる第１調整条件例を示す説明図である。この図は、自動在庫調整条件データベース１２に記憶させるレコードの一例を示したもので、図３（ａ）は自動在庫調整条件の設定例である「条件（１）」の内容を示しており、図３（ｂ）は他の設定例である「条件（２）」の内容を示している。なお、これら「条件（１）」、「条件（２）」、また、後述する「条件（３）」〜「条件（５）」は、データベースのレコードもしくは索引となる項目である。
【００２２】
図３（ａ）に示した設定例「条件（１）」は、部屋タイプが「部屋Ａ」の在庫物件（在庫対象）について、２４時間間隔で自動在庫調整を行うものである。
また、「条件（１）」は、トリガー条件として「３か月後の在庫」が設定されており、調整条件として、調整パターンの項目に「在庫数指定」、調整対象サイトの項目に「全サイト」、調整在庫数の項目に「１０」が設定されている。
この設定は、３か月後の月日について部屋Ａが予約可能であることを全サイトに表示させるものであり、このとき予約可能な部屋Ａの室数として、これまでの表示数に１０室増やして（全サイトに）表示させるものである。
【００２３】
図３（ｂ）に示した設定例の「条件（２）」は、部屋タイプが「部屋Ｂ」の在庫物件について、２４時間間隔で自動在庫調整を行うものである。
また、「条件（２）」は、トリガー条件として「１週間後の在庫」、「２室以下」が設定されており、調整条件として「売り止め」、「サイトＡ」、が設定されている。
この設定は、部屋Ｂについて１週間後の在庫（予約可能な室数）が２室以下になったとき、サイトＡにおいては予約受付を行わない「売り止め」をサイトＡサーバ２１に指示するものである。
【００２４】
図４は、自動在庫調整条件データベースに記憶させる第２調整条件例を示す説明図である。この図は、自動在庫調整条件データベース１２に記憶させるレコードの一例を示したもので、自動在庫調整条件の設定例である「条件（３）」の内容を示している。
「条件（３）」は、部屋タイプが「部屋Ｃ」の在庫物件について、６時間間隔で自動在庫調整を行うもので、トリガー条件として「１週間後の在庫」、「１室以下」が設定されている。また、例えば時刻０時を起点として処理動作を開始するようにタイマーを設定して「売り止め」を「サイトＡ」において行い、同時に「売り止め解除」を「サイトＢ」において行うように設定されている。
またさらに、３時間後、即ち時刻３時を起点として処理動作を開始するようにタイマーを設定して「売り止め解除」を「サイトＡ」において行い、同時に「売り止め」を「サイトＢ」において行うように設定されている。
【００２５】
この設定は、部屋Ｃについて１週間後の在庫（予約可能な室数）が１室以下になったとき、サイトＡで行っていた部屋Ｃの予約受付を停止してサイトＢにおいて予約受付を可能に（開始）するものである。また、この処理から３時間後に、サイトＢで行っていた部屋Ｃの予約受付を停止してサイトＡにおいて予約受付を可能に（開始）するものである。
換言すると、「条件（３）」の設定は、部屋Ｃの予約受付（販売）を３時間毎にサイトＡとサイトＢの間でローテーションさせる処理を行うものである。
【００２６】
図５は、自動在庫調整条件データベース１２に記憶させる第３調整条件例を示す説明図である。この図は、自動在庫調整条件データベース１２に記憶させるレコードの一例を示したもので、自動在庫調整条件の設定例である「条件（４）」の内容を示している。
「条件（４）」は、部屋タイプが「部屋Ｄ」の在庫物件について、２４時間間隔で自動在庫調整を行うもので、トリガー条件として「１週間後の在庫」、「提供可能室数（例えば１０室）の２０％以下」が設定されている。また、例えば時刻９時を起点として処理動作を開始するようにタイマーを設定して「売り止め解除」を「サイトＡ」および「サイトＢ」において行うように設定されている。
またさらに、時刻１８時を起点として処理動作を開始するようにタイマーを設定して「売り止め」を「サイトＡ」および「サイトＢ」において行うように設定されている。
【００２７】
この設定は、部屋Ｄについて１週間後の在庫が、提供可能な室数の２０［％］以下になったとき、即ち、１週間後の月日に宿泊予約を受け付けることが可能な部屋Ｄの空き部屋数（在庫数）が、宿泊施設に備える部屋Ｄの全室数（例えば１０室）の２０［％］以下になったとき、時刻が１８時から翌日の９時までの間、サイトＡおよびサイトＢにおいて予約受付を停止するものである。なお、サイトＡおよびサイトＢ以外の各サイトにおいては１８時から翌日９時までの間も予約受付、即ち販売を可能にしている。
例えばシステム管理者等は、上記のように所望の自動在庫調整条件、即ちトリガー条件ならびに調整条件等を設定し、自動在庫調整条件入力手段１１等を用いて自動在庫調整条件データベース１２に記憶させておく。なお、自動在庫調整条件データベース１２への自動在庫調整条件の入力設定は、例えば在庫調整システムを全体的に起動させる前、または当該システムが稼働中の適当な時期などに適宜行われる。
【００２８】
次に自動在庫調整手段１３ａによる各サイトサーバの制御動作を説明する。
例えば、自動在庫調整条件入力手段１１などから、自動在庫調整処理を行う旨の指示を在庫調整手段１３が入力したとき、自動在庫調整手段１３ａは、自動在庫調整条件データベース１２に記憶されている、例えば自動在庫調整条件入力手段１１から指示されたレコードの在庫対象の種別（部屋タイプ）、トリガー条件、調整条件等を取得する。
【００２９】
自動在庫調整手段１３ａは、トリガー条件に設定された間隔等で通信手段１４を介して各サイトサーバから現在の予約状況（前述の「在庫日」、「在庫数」に相当するデータ）を取得し、この予約状況がトリガー条件の内容に適合したとき、当該トリガー条件と対応する調整条件が示す処理動作（自動在庫調整）を行う。
「条件（４）」のレコードを入力した自動在庫調整手段１３ａは、具体的には、１週間後の在庫が提供可能な客室の２０［％］となっているとき、例えば時刻９時にサイトＡおよびサイトＢにおける売り止めを解除する（予約受付を再開もしくは開始させる）。
次に、時刻１８時にサイトＡおよびサイトＢにおける売り止めをサイトＡサーバ２１およびサイトＢサーバ２２へ指示する（予約受付を停止させる）。このように、調整条件に設定されたサイトＡ（即ちサイトＡサーバ２１）およびサイトＢ（即ちサイトＢサーバ２２）について、トリガー条件に設定された時間帯のみで在庫対象の販売を停止させる、あるいは販売を実施させる。
上記のように調整条件に設定されている処理を行った後、自動在庫調整手段１３ａは、前述のようにトリガー条件として設定されている項目「間隔」の間隔時間を、項目「タイマー」に設定されている日付時刻に加算する。次に、この日付時刻で自動在庫調整条件データベース１２に記憶されている「タイマー」の内容（日付時刻を示すデータ）を更新する。また、自動在庫調整手段１３ａは、この更新した「タイマー」の日付時刻になったとき、前述と同様な自動在庫調整（調整条件等が示す処理）を行う。
【００３０】
在庫調整手段１３は、上記の自動在庫調整手段１３ａが用いているトリガー条件と、上記の各サイトサーバ等から取得した現在の予約状況（前述の「在庫日」、「在庫数」）などが該当していないとき、換言すると自動在庫調整手段１３ａが自動在庫調整を行っていない期間において、在庫標準調整手段１３ｂを用いて各サイトサーバに表示させる在庫数等を調整する。また、自動在庫調整手段１３ａが自動在庫調整の処理を行っているときに、予約者によって予約等の申し込みがあった場合には、例えば、在庫標準調整手段１３ｂによる在庫数の調整を優先させて処理する。
【００３１】
具体的には、複数のサイトサーバがインターネット３０を介して配信しているいずれかのサイトに、予約者端末４０等のアクセスによって宿泊予約等の申し込み操作がなされたとき、在庫標準調整手段１３ｂは、申し込み内容を示すデータ、例えば、部屋タイプ、宿泊日付、宿泊日数、宿泊人数などのデータを、上記の申し込み操作がなされたサイトを配信しているサイトサーバから取得し、申し込まれた部屋タイプの在庫数を削減更新する。また、当該更新した現在の在庫数を他の各サイトサーバに報知する。
予約者端末４０等から予約キャンセル等の操作がなされたときには、在庫標準調整手段１３ｂは、当該キャンセルされた部屋タイプの在庫数を増加更新し、現在の在庫数として各サイトサーバに報知する。
【００３２】
なお、自動在庫調整手段１３ａは、在庫対象の現在の在庫数、即ち自動在庫調整を行う前の在庫数を、例えば、上記の在庫標準手段１３ｂの処理結果（所定の記憶手段等に記憶されている現在の在庫数）から認識する。あるいは、自動在庫調整条件入力手段１１等から入力された在庫数を現在の在庫数として認識し、前述のような自動在庫調整を行う。
【００３３】
自動在庫調整データベース１２に記憶させるトリガー条件および調整条件の設定内容により、宿泊施設の実際の空室数よりも少なく各サイトに表示させることが可能になる。即ち、オーバーブックの発生に対処するため適当な数の空室を余剰に確保することを、予約受け付けを行うシステム上の処理によって行うことができる。
また、複数のサイトに宿泊予約を配信させる場合には、同一の在庫対象（部屋タイプ）について、各々のサイトに異なる在庫数を表示する、また、例えば、所定日数以上先の日付において予約受付を行う部屋数（在庫数）を増大させて表示させることも可能であり、またさらに、実際の宿泊施設の空室数（在庫数）が所定数量となったとき、所望のサイトにおいて予約受付を停止させることも可能になる。
【００３４】
また、時刻等に応じて同一の在庫対象の販売を、複数のサイト間でローテーションさせる（各サイトサーバにおいて予約受付の停止と再開を交互に行わせる）ことも可能になる。
また、時刻（時間帯）に応じて、任意のサイトに表示する在庫数を変更すること、在庫対象の販売停止または販売再開（宿泊予約の受付停止または再開）を設定することも可能になる。
【００３５】
上記のように、システム管理者等の所望する在庫数の調整、もしくは在庫対象の販売の停止または再開を、自動在庫調整条件として設定し、これをデータベース化することにより、システム管理者等がマニュアル操作によって各サイトサーバから配信する、もしくはサイトに表示させる在庫数等を所望の数量に調整する必要性を抑えることができる。
【符号の説明】
【００３６】
１０コントロールサーバ
１１自動在庫調整条件入力手段
１２自動在庫調整条件データベース
１３在庫調整手段
１３ａ自動在庫調整手段
１３ｂ在庫標準調整手段
１４通信手段
２１サイトＡサーバ
２２サイトＢサーバ
２３サイトＮサーバ
３０インターネット回線
４０予約者端末
【図１】
2017174153.tif 000003
【図２】
2017174153.tif 000004
【図３】
2017174153.tif 000005
【図４】
2017174153.tif 000006
【図５】
2017174153.tif 000007
【手続補正書】
【提出日】平成29年7月12日(2017.7.12)
【手続補正１】
【補正対象書類名】明細書
【補正対象項目名】０００７
【補正方法】変更
【補正の内容】
【０００７】
本発明に係る在庫調整システムは、複数の在庫対象を各々インターネットを介して販売する複数のサイトサーバと接続し、前記各サイトサーバに表示させる前記在庫対象の在庫数を制御するコントロールサーバを備える在庫調整システムであって、前記コントロールサーバは、システムユーザが任意に設定した自動在庫調整条件を記憶する自動在庫調整条件データベースと、前記自動在庫調整条件データベースに前記自動在庫調整条件を入力する自動在庫調整条件入力手段と、前記自動在庫調整条件データベースに記憶されている前記自動在庫調整条件に応じて前記各サイトサーバによる前記各在庫対象の販売を制御する自動在庫調整手段とを備え、前記自動在庫調整条件データベースは、前記各サイトサーバが前記インターネット上に配信する前記各在庫対象の在庫数を調整設定するタイミングを定めるトリガー条件と、前記トリガー条件が示すタイミングになったとき、前記各サイトサーバが配信する在庫数を調整する処理内容、ならびに前記各在庫対象の販売の有無を定める調整条件とを含む前記自動在庫調整条件を記憶し、前記自動在庫調整手段による制御は、任意の前記在庫対象の在庫数を前記トリガー条件が示すタイミングで調整変更し、該調整変更した在庫数が前記調整条件に定められた数量以下となったとき、該任意の在庫対象が重複して販売されないように前記調整条件に定められている前記複数のサイトサーバのうち第１サイトサーバに前記任意の在庫対象の販売を行わせるとともに前記複数のサイトサーバのうち第２サイトサーバに前記任意の在庫対象の販売を行わせない制御を含むことを特徴とする。
【手続補正２】
【補正対象書類名】明細書
【補正対象項目名】０００８
【補正方法】変更
【補正の内容】
【０００８】
また、前記自動在庫調整手段は、前記トリガー条件が示す時間間隔で、前記任意の在庫対象の在庫数を調整変更することを特徴とする。
【手続補正３】
【補正対象書類名】明細書
【補正対象項目名】０００９
【補正方法】変更
【補正の内容】
【０００９】
また、前記自動在庫調整手段は、前記トリガー条件が示す時分割で、前記第１サイトサーバおよび前記第２サイトサーバの配信を交互に行わせることを特徴とする。
【手続補正４】
【補正対象書類名】明細書
【補正対象項目名】００１０
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
複数の在庫対象を各々インターネットを介して販売する複数のサイトサーバと接続し、前記各サイトサーバに表示させる前記在庫対象の在庫数を制御するコントロールサーバを備える在庫調整システムであって、
前記コントロールサーバは、
システムユーザが任意に設定した自動在庫調整条件を記憶する自動在庫調整条件データベースと、
前記自動在庫調整条件データベースに前記自動在庫調整条件を入力する自動在庫調整条件入力手段と、
前記自動在庫調整条件データベースに記憶されている前記自動在庫調整条件に応じて前記各サイトサーバによる前記各在庫対象の販売を制御する自動在庫調整手段と、
を備え、
前記自動在庫調整条件データベースは、
前記各サイトサーバが前記インターネット上に配信する前記各在庫対象の在庫数を調整設定するタイミングを定めるトリガー条件と、
前記トリガー条件が示すタイミングになったとき、前記各サイトサーバが配信する在庫数を調整する処理内容、ならびに前記各在庫対象の販売の有無を定める調整条件と、
を含む前記自動在庫調整条件を記憶し、
前記自動在庫調整手段による制御は、
任意の前記在庫対象の在庫数を前記トリガー条件が示すタイミングで調整変更し、該調整変更した在庫数が前記調整条件に定められた数量以下となったとき、
該任意の在庫対象が重複して販売されないように前記調整条件に定められている前記複数のサイトサーバのうち第１サイトサーバに前記任意の在庫対象の販売を行わせるとともに前記複数のサイトサーバのうち第２サイトサーバに前記任意の在庫対象の販売を行わせない、
制御を含む、
ことを特徴とする在庫調整システム。
【請求項２】
前記自動在庫調整手段は、
前記トリガー条件が示す時間間隔で、前記任意の在庫対象の在庫数を調整変更する、
ことを特徴とする請求項１に記載の在庫調整システム。
【請求項３】
前記自動在庫調整手段は、
前記トリガー条件が示す時分割で、前記第１サイトサーバおよび前記第２サイトサーバの配信を交互に行わせる、
ことを特徴とする請求項１に記載の在庫調整システム。